(57)【特許請求の範囲】
【請求項１】
光ビーム発射手段と、前記光ビーム発射手段から発射された光ビームを主走査方向に偏向せしめる偏向手段と、前記光ビームを反射させる反射鏡とを有し、前記光ビームによって走査対象物を光走査する光走査装置に用いられ、
前記反射鏡の長手方向の両端部でそれぞれ、前記反射鏡の裏面に当接して前記反射鏡を支持する支持手段と、
前記支持手段の支持位置と前記反射鏡の長手方向異なる位置、かつ前記反射鏡の鏡面を、前記鏡面と直交する方向に力を付与することで、前記反射鏡を湾曲させる第１の強制湾曲手段と、
前記反射鏡の長手方向中央部を前記鏡面と直交する方向へ押し込むことで前記第１の強制湾曲手段の湾曲方向とは逆方向へ湾曲させる第２の強制湾曲手段とを具備し、
前記第２の強制湾曲手段による前記反射鏡の前記鏡面と直交する方向への押込量の調整によって前記走査対象物表面上での主走査線の湾曲を補正する湾曲補正機構において、
前記第１の強制湾曲手段による反射鏡を強制湾曲させる湾曲力を、前記第２の強制湾曲手段による反射鏡の押込量に応じて弱めるよう変更する変更手段を設けたことを特徴とする湾曲補正機構。
【請求項２】
請求項１の湾曲補正機構において、
前記第２の強制湾曲手段による前記反射鏡の前記鏡面と直交する方向への押込量に応じて、前記支持手段の反射鏡に対する支持位置を、前記押込手段が前記反射鏡を押し込む方向と逆方向に移動させる移動手段を備えるよう前記変更手段を構成したことを特徴とする湾曲補正機構。
【請求項３】
請求項２の湾曲補正機構において、
前記移動手段は、前記支持手段が螺合する回転軸と、前記回転軸を回転させる回転角度を制御することが可能なモータと、前記支持手段の回転方向の動きを規制する規制部材とを有することを特徴とする湾曲補正機構。
【請求項４】
請求項２の湾曲補正機構において、
前記支持手段をカム部材とし、
前記移動手段は、前記カム部材を回転させる回転角度を制御することが可能なモータを有することを特徴とする湾曲補正機構。
【請求項５】
光ビーム発射手段と、前記光ビーム発射手段から発射された光ビームを主走査方向に偏向せしめる偏向手段と、前記光ビームを反射させる反射鏡と、走査対象物の表面上における主走査線の湾曲を補正する湾曲補正手段とを備え、前記光ビームによって前記走査対象物を光走査する光走査装置において、
前記湾曲補正手段として、請求項１乃至４の何れかの湾曲補正機構を用いたことを特徴とする光走査装置。
【請求項６】
請求項５の光走査装置において、
前記走査ビームを主走査線方向および副走査線方向に集光する走査レンズを備えたことを特徴とする光走査装置。
【請求項７】
潜像を担持する潜像担持体と、光走査によって前記潜像担持体の表面に潜像を形成する光走査手段と、前記潜像担持体に担持された潜像を現像する現像手段とを備える画像形成装置において、
前記光走査手段として、請求項５または６の光走査装置を用いたことを特徴とする画像形成装置。
【発明の詳細な説明】
【技術分野】
【０００１】
本発明は、走査対象物を光走査する光走査装置の主走査線の湾曲を補正する湾曲補正機構、並びにこれを用いる光走査装置及び画像形成装置に関するものである。
【背景技術】
【０００２】
従来、例えば特許文献１に記載の画像形成装置のように、いわゆるタンデム方式によって多色画像を形成するものが知られている。タンデム方式の画像形成装置は、感光体等の潜像担持体を複数有しており、それぞれの走査対象物たる潜像担持体に対して光走査による潜像を形成する。そして、それら潜像を互いに異なる色のトナーで現像するなどして、それぞれの潜像担持体上で互いに異なる色の可視像を得る。次いで、それぞれの潜像担持体上の可視像を転写体に重ね合わせて転写することで、単色の可視像の重ね合わせによる多色画像を得る。
【０００３】
かかる構成では、複数の潜像担持体上で可視像がそれぞれ互いに相対的に位置ずれして形成されると、それらが位置ずれした状態で転写体に転写されることで多色画像に色ずれを引き起こす。この色ずれの原因の１つとして、潜像担持体の表面上における主走査方向の走査線（以下、主走査線という）の湾曲が挙げられる。具体的には、潜像担持体を光走査する光走査装置では、それを構成する光学系部品や支持体等に、製造時の加工誤差などによる微妙な歪みがどうしても発生する。また、モータの発熱を伴う光走査動作中には、光学系部品や支持体の微妙な熱変形が生ずる。更には、光学系部品や支持体には組付誤差が少なからず発生する。これら歪み、熱変形、組付誤差などにより、潜像担持体の表面上の主走査線が湾曲してしまうのである。
【０００４】
図１６は、潜像担持体たるドラム状の感光体１０と、その表面上における主走査線とを示す斜視図である。同図において、Ｌａという符号が付された点線は、理想的な状態の主走査線を示しており、これは主走査方向（感光体軸線方向）に沿って一直線状に延在している。これに対し、Ｌｂという符号が付された実線や、Ｌｃという符号が付された一点鎖線は、それぞれ図示のように湾曲している状態の主走査線を示している。これら２つの主走査線のうち、一方の主走査線Ｌｂは、主走査方向の中央部を両端部よりも副走査方向（感光体表面移動方向）の下流側に突出させる方向に湾曲している。また、他方の主走査線Ｌｃは、主走査方向の中央部を両端部よりも副走査方向の上流側に突出させる方向に湾曲している。何れの方向に湾曲するのかは、個々の製品によって異なってくる。その湾曲は、様々な部品の歪み、熱変形、組付誤差などの交差が積み重なったものだからである。また、タンデム方式では、上述のように複数の感光体を用いるが、それぞれの感光体上における主走査線の湾曲方向も、製品毎に異なってくる。
【０００５】
複数の感光体の間で、主走査線の湾曲方向が異なると、可視像の相対的な位置ズレ量が大きくなるため、画像を乱すほどの色ずれとなって現れてしまう。このため、多色画像の色ずれを軽減するためには、複数の感光体に対する主走査線がそれぞれどちらの方向に湾曲していても、その湾曲を補正できるようにする必要がある。
【０００６】
【特許文献１】特開２００３−１８２１４６号公報
【発明の開示】
【発明が解決しようとする課題】
【０００７】
そこで、本発明者は、走査光学系の反射鏡を湾曲させながらその湾曲量を調整することで、感光体上における主走査線の湾曲を補正する湾曲補正機構を設けた光書込装置を開発中である。
図１７は、この光書込装置における反射鏡４６と、その周囲構成とを示す拡大構成図である。反射鏡４６は、図示しない書込用の光ビームを複数回に渡って折返し反射させることで最終的に図示しない感光体に導く複数の反射鏡の１つである。反射鏡４６は、その裏面（非鏡面）側に配設されたホルダー５２によって保持されている。
ホルダー５２の長手方向の両端部には、それぞれ反射鏡４６に向けて突出する支持手段たる支持突起５２ａが設けられており、支持突起５２ａが反射鏡４６の裏面に当接している。ホルダー５２の端部の支持突起５２ａよりも長手方向の中央側には、第１の強制湾曲手段たる板バネ部材５４が取り付けられている。それぞれの板バネ部材５４は、反射鏡４６を鏡面側から裏面側に向けて押圧している。これにより、反射鏡４６は、長手方向の中央部を鏡面側から裏面側に向けて撓ませるような形状で湾曲する。つまり、反射鏡４６は、板バネ部材５４によって強制制的に湾曲させた状態でホルダー５２に保持される。ホルダー５２の背面側には、ホルダー５２を介して、反射鏡４６の長手方向の中央部をホルダー５２の強制湾曲方向とは逆方向（図中矢印Ｂの方向）に押し込む第２の強制湾曲手段たる押込装置６４が配設されている。
【０００８】
図１８は、板バネ部材５４によって強制的に湾曲せしめられている状態の反射鏡４６を示す模式図である。図示しない押込装置（図１７の６４）が反射鏡４６を押し込んでいない状態では、反射鏡４６が図中矢印Ｒで示すように、鏡面側から裏面側に向けて強制的に湾曲せしめられている。この状態から、反射鏡４６を押込装置６４によって図中矢印Ｂ方向に僅かに押し込むと、反射鏡４６が、板バネ部材による強制湾曲方向と逆方向に強制湾曲せしめられ、図１９に示すように反射鏡４６の湾曲量が減少する。反射鏡４６を押込装置６４によって更に押し込むと、図２０に示すように反射鏡４６が初期の状態とは逆方向に湾曲する。このように、反射鏡４６を裏面側、鏡面側の何れの方向にも強制湾曲できるようにすることで、図１６で実線で示した主走査線Ｌｂ、１点鎖線で示した主走査線Ｌｃの何れの湾曲も補正することができる。
【０００９】
本発明者は、このような曲がり調整手段を設けた光書込装置を試作してプリンタに搭載したところ、従来の光書込装置よりも多色画像の色ずれを抑えることができた。しかしながら、実験により、この光書込装置には、まだ改良の余地があり、ごく僅ではあるものの、色ずれが残ってしまうことがわかった。
【００１０】
この僅かな色ずれは、補正後の主走査線の形状の違いに起因するものであった。図２１は、複数の感光体のうち、何れか１つの表面上における湾曲補正後の主走査線を示す模式図である。また、図２２は、他の感光体の表面上における湾曲補正後の主走査線を示す模式図である。これらの図において、点線は、主走査方向に一直線状に延びる理想的な主走査線を示している。また、実線は、湾曲補正後の実際の主走査線を示している。それぞれの図に示すように、湾曲補正後の実際の主走査線は△ｔという波高で僅かに波打ちしたような形状になっている。これは、初期状態において湾曲した状態の反射鏡の長手方向中央部が押込装置６４によって押し込まれることで、鏡面の中央部が湾曲方向と逆方向に僅かに突出するため、走査線が波打ちしたような形状になってしまうのである。
【００１１】
図２１、図２２の比較から解るように、２つの感光体間では、湾曲補正後の主走査線の形状が互いに異なっている。具体的には、図２１に示した湾曲補正後の主走査線は、主走査方向の中央部を図中矢印Ｃ方向（感光体表面移動方向）の下流側に向けて突出させつつ、両端部をそれぞれ矢印Ｃ方向の上流側に向けて突出させるようなＷ字状の形状になっている。これに対し、図２２に示した補正後の主走査線Ｌｄは、その中央部を矢印Ｃ方向の上流側に向けて突出させつつ、両端部をそれぞれ矢印Ｃ方向の下流側に向けて突出させるＭ字状の形状になっている。このように、２つの感光体の表面上において、湾曲補正後の主走査線の形状が互いに異なると、Ｗ字状の形状における２つの谷の位置で形成されるドットと、Ｍ字状の形状における２つの山の位置に形成されるドットとの間で、重ね合わせずれが僅かに残ってしまうのである。
【００１２】
本発明者は、主走査線の形状がＷ字状やＭ字状になる理由について、鋭意研究した結果、次のことがわかった。すなわち、板バネ部材の反射鏡を押込装置６４の押し込み方向と逆方向に押圧する力（反射鏡を強制湾曲させる湾曲力）が強いと、押込装置によって反射鏡を強制湾曲させる力よりも、板バネ部材の押圧力によって反射鏡を湾曲させる力の方が勝って、反射鏡の押込装置の押込位置と支持突起５２ａの支持位置との間の領域が、押込装置の押込方向に強制湾曲せずに、板バネ部材の押圧力の方向に強制湾曲して、主走査線の形状がＷ字状やＭ字状になることがわかったのである。しかも、反射鏡を押し込んでいくと、板バネ部材が圧縮されるので、板バネ部材の反射鏡に対する押圧力が強くなっていくため、板バネ部材の反射鏡を強制湾曲させる力が増加して、反射鏡の押込装置の押込位置と支持突起５２ａの支持位置との間の領域が、板バネ部材の押圧力の方向に強制湾曲して、主走査線の形状がＷ字状やＭ字状になりやすい。
そこで、板バネ部材の押圧力を低減させることも考えられるが、板バネ部材の押圧力を低減させると、支持突起の寸法公差などにより、板バネ部材の押圧力が必要以上に弱くなってしまう場合があった。板バネ部材の反射鏡への押圧力が必要以上に弱くなってしまうと、板バネ部材によって反射鏡４６を十分に強制的に湾曲することができず、図１６で実線で示した主走査線Ｌｂ、１点鎖線で示した主走査線Ｌｃ何れか一方の湾曲が補正できなくなるおそれがあった。
【００１３】
本発明は、上記背景に鑑みなされたものであり、その目的とするところは、反射鏡を良好に強制的に湾曲することができるとともに、多色画像の色ずれを、より良好に抑えることができる湾曲補正機構、光走査装置及び画像形成装置を提供することである。
【課題を解決するための手段】
【００１４】
上記目的を達成するために、請求項１の発明は、光ビーム発射手段と、前記光ビーム発射手段から発射された光ビームを主走査方向に偏向せしめる偏向手段と、前記光ビームを反射させる反射鏡とを有し、前記光ビームによって走査対象物を光走査する光走査装置に用いられ、前記反射鏡の長手方向の両端部でそれぞれ、前記反射鏡の裏面に当接して前記反射鏡を支持する支持手段と、前記支持手段の支持位置と前記反射鏡の長手方向異なる位置、かつ前記反射鏡の鏡面を、前記鏡面と直交する方向に力を付与することで、前記反射鏡を湾曲させる第１の強制湾曲手段と、前記反射鏡の長手方向中央部を前記鏡面と直交する方向へ押し込むことで前記第１の強制湾曲手段の湾曲方向とは逆方向へ湾曲させる第２の強制湾曲手段とを具備し、前記第２の強制湾曲手段による前記反射鏡の前記鏡面と直交する方向への押込量の調整によって前記走査対象物表面上での主走査線の湾曲を補正する湾曲補正機構において、前記第１の強制湾曲手段による反射鏡を強制湾曲させる湾曲力を、前記第２の強制湾曲手段による反射鏡の押込量に応じて弱めるよう変更する変更手段を設けたことを特徴とするものである。
また、請求項２の発明は、請求項１の湾曲補正機構において、前記第２の強制湾曲手段による前記反射鏡の前記鏡面と直交する方向への押込量に応じて、前記支持手段の反射鏡に対する支持位置を、前記押込手段が前記反射鏡を押し込む方向と逆方向に移動させる移動手段を備えるよう前記変更手段を構成したことを特徴とするものである。
また、請求項３の発明は、請求項２の湾曲補正機構において、前記移動手段は、前記支持手段が螺合する回転軸と、前記回転軸を回転させる回転角度を制御することが可能なモータと、前記支持手段の回転方向の動きを規制する規制部材とを有することを特徴とするものである。
また、請求項４の発明は、請求項２の湾曲補正機構において、前記支持手段をカム部材とし、前記移動手段は、前記カム部材を回転させる回転角度を制御することが可能なモータを有することを特徴とするものである。
また、請求項５の発明は、光ビーム発射手段と、前記光ビーム発射手段から発射された光ビームを主走査方向に偏向せしめる偏向手段と、前記光ビームを反射させる反射鏡と、走査対象物の表面上における主走査線の湾曲を補正する湾曲補正手段とを備え、前記光ビームによって前記走査対象物を光走査する光走査装置において、前記湾曲補正手段として、請求項１乃至４の何れかの湾曲補正機構を用いたことを特徴とするものである。
また、請求項６の発明は、請求項５の光走査装置において、前記走査ビームを主走査線方向および副走査線方向に集光する走査レンズを備えたことを特徴とするものである。
また、請求項７の発明は、潜像を担持する潜像担持体と、光走査によって前記潜像担持体の表面に潜像を形成する光走査手段と、前記潜像担持体に担持された潜像を現像する現像手段とを備える画像形成装置において、前記光走査手段として、請求項５または６の光走査装置を用いたことを特徴とするものである。
【発明の効果】
【００１５】
請求項１乃至７の発明によれば、第２の強制湾曲手段によって、反射鏡を強制湾曲させたとき、第１の強制湾曲手段の反射鏡を強制湾曲させる湾曲力を弱めるので、反射鏡の支持手段の支持位置と、第２の強制湾曲手段が反射鏡を押し込む押込位置との間の領域における、第１の強制湾曲手段による湾曲を抑制することができ、主走査線の形状がＷ字状やＭ字状になるのを抑制することができる。これにより、多色画像の色ずれを、開発中のものよりも良好に抑えることができる。
また、第１の強制湾曲手段の湾曲力を変更することができるので、第２の強制湾曲手段が、反射鏡を強制湾曲せしめてない初期状態のときは、寸法公差などがあっても、反射鏡を十分に強制的に湾曲することのできる湾曲力を付与することができる。これにより、初期時において、反射鏡を良好に強制的に湾曲することができる。
【発明を実施するための最良の形態】
【００１６】
以下、本発明を、電子写真方式のカラーレーザープリンタ（以下、単にプリンタという）に適用した実施形態について説明する。
図１は、本実施形態に係るプリンタを示す概略構成図である。このプリンタは、筐体１と、この筐体１から引き出し可能な給紙カセット２とを備えている。筐体１の中央部には、イエロー（Ｙ）、シアン（Ｃ）、マゼンダ（Ｍ）、黒（Ｋ）の各色のトナー像（可視像）を形成するための作像ステーション３Ｙ，３Ｃ，３Ｍ，３Ｋを備えている。以下、各符号の添字Ｙ、Ｃ、Ｍ、Ｋは、それぞれイエロー、シアン、マゼンダ、黒用の部材であることを示す。
【００１７】
図２は、イエロー（Ｙ）用の作像ステーションを示す概略構成図である。なお、他の作像ステーションも同様の構成である。
図１及び図２に示すように、作像ステーション３Ｙ，３Ｃ，３Ｍ，３Ｋは、図中矢印Ａ方向に回転する潜像担持体としてのドラム状の感光体１０Ｙ，１０Ｃ，１０Ｍ，１０Ｋを備えている。感光体１０Ｙ，１０Ｃ，１０Ｍ，１０Ｋは、直径４０［ｍｍ］のアルミニウム製の円筒状基体と、その表面を覆う、例えばＯＰＣ（有機光半導体）感光層とから構成されている。各作像ステーション３Ｙ，３Ｃ，３Ｍ，３Ｋは、それぞれ、感光体１０Ｙ，１０Ｃ，１０Ｍ，１０Ｋの周囲に、感光体を帯電する帯電装置１１Ｙ，１１Ｃ，１１Ｍ，１１Ｋを備えている。また、感光体に形成された潜像を現像する現像手段としての現像装置１２Ｙ，１２Ｃ，１２Ｍ，１２Ｋ、感光体上の残留トナーをクリーニングするクリーニング装置１３Ｙ，１３Ｃ，１３Ｍ，１３Ｋも感光体の周囲に備えている。
【００１８】
各作像ステーション３Ｙ，３Ｃ，３Ｍ，３Ｋの下方には、感光体１０Ｙ，１０Ｃ，１０Ｍ，１０Ｋに対し、書込光Ｌによる光走査を行う光走査装置としての光書込ユニット４を備えている。また、各作像ステーション３Ｙ，３Ｃ，３Ｍ，３Ｋの上方には、各作像ステーション３Ｙ，３Ｃ，３Ｍ，３Ｋによって形成されたトナー像が転写される中間転写ベルト２０を具備する中間転写ユニット５を備えている。また、中間転写ベルト２０に転写されたトナー像を転写体としての記録紙Ｐに定着せしめる定着ユニット６を備えている。また、筐体１の上部には、イエロー（Ｙ）、シアン（Ｃ）、マゼンタ（Ｍ）、黒（Ｋ）の各色のトナーを収容するトナーボトル７Ｙ，７Ｃ，７Ｍ，７Ｋが装填されている。このトナーボトル７Ｙ，７Ｃ，７Ｍ，７Ｋは、筐体１の上部に形成される排紙トレイ８を開くことにより、筐体１から脱着可能になっている。
【００１９】
光走査装置としての光書込ユニット４は、光ビーム発射手段であるレーザーダイオードを有しており、このレーザーダイオードから、回転駆動される正多角柱構造のポリゴンミラーに向けて光ビームとしての書込光Ｌを発射する。発射された書込光Ｌは、回転するポリゴンミラーの鏡面によって主走査方向に偏向せしめられながら反射する。そして、複数の反射鏡によって折り返された後、帯電装置１１Ｙ，１１Ｃ，１１Ｍ，１１Ｋによって一様帯電せしめられた感光体１０Ｙ，１０Ｃ，１０Ｍ，１０Ｋの周面を走査する。これにより、潜像担持体としての感光体１０Ｙ，１０Ｃ，１０Ｍ，１０Ｋの周面に、それぞれＹ，Ｃ，Ｍ，Ｋ用の静電潜像が形成される。なお、光書込ユニット４の詳しい説明は後述する。
【００２０】
転写手段たる中間転写ユニット５の中間転写ベルト２０は、駆動ローラ２１、テンションローラ２２及び従動ローラ２３に掛け回されながら、所定タイミングで図中反時計回り方向に回転駆動される。また、中間転写ユニット５は、感光体１０Ｙ，１０Ｃ，１０Ｍ，１０Ｋに形成されたトナー像を中間転写ベルト２０に１次転写する１次転写ローラ２４Ｙ，２４Ｃ，２４Ｍ，２４Ｋを備えている。また、中間転写ベルト２０上に１次転写されたトナー像を記録紙Ｐに転写する２次転写ローラ２５、記録紙Ｐ上に転写されなかった中間転写ベルト２０上の転写残トナーをクリーニングするベルトクリーニング装置２６も備えている。
【００２１】
次に、本プリンタにおいて、カラー画像を得る工程について説明する。
まず、作像ステーション３Ｙ，３Ｃ，３Ｍ，３Ｋにおいて、感光体１０Ｙ，１０Ｃ，１０Ｍ，１０Ｋが帯電装置１１Ｙ，１１Ｃ，１１Ｍ，１１Ｋによって一様に帯電される。その後、画像情報に基づいて生成された書込光Ｌによって走査露光されて、感光体１０Ｙ，１０Ｃ，１０Ｍ，１０Ｋの表面に静電潜像が形成される。これらの静電潜像は、現像装置１２Ｙ，１２Ｃ，１２Ｍ，１２Ｋの現像ローラ１５Ｙ，１５Ｃ，１５Ｍ，１５Ｋ上に担持された各色のトナーによって現像されて、Ｙ，Ｃ，Ｍ，Ｋトナー像となる。感光体１０Ｙ，１０Ｃ，１０Ｍ，１０Ｋ上のＹ，Ｃ，Ｍ，Ｋトナー像は、各１次転写ローラ２４Ｙ，２４Ｃ，２４Ｍ，２４Ｋの作用によって反時計回りに回転駆動する中間転写ベルト２０上に順次重ねて１次転写される。このときの各色の作像動作は、そのトナー像が中間転写ベルト２０上の同じ位置に重ねて転写されるように、中間転写ベルト２０の移動方向上流側から下流側に向けてタイミングをずらして実行される。
【００２２】
１次転写終了後の感光体１０Ｙ，１０Ｃ，１０Ｍ，１０Ｋは、クリーニング装置１３Ｙ，１３Ｃ，１３Ｍ，１３Ｋのクリーニングブレード１３ａによってその表面がクリーニングされて、次の画像形成に備えられる。
【００２３】
トナーボトル７Ｙ，７Ｃ，７Ｍ，７Ｋに充填されているトナーは、必要性に応じて図示しない搬送経路によって各作像ステーション３Ｙ，３Ｃ，３Ｍ，３Ｋの現像装置１２Ｙ，１２Ｃ，１２Ｍ，１２Ｋに所定量補給される。
【００２４】
一方、上記給紙カセット２内の記録紙Ｐは、給紙カセット２の近傍に配設された給紙ローラ２７によって、筐体１内に搬送され、レジストローラ対２８によって所定のタイミングで２次転写部に搬送される。そして、２次転写部において、中間転写ベルト２０上に形成されたトナー像が記録紙Ｐに転写される。トナー像が転写された記録紙Ｐは、定着ユニット６を通過することでトナー像が定着せしめられた後、排出ローラ２９によって排紙トレイ８に排出される。感光体１０と同様に、中間転写ベルト２０上に残った転写残のトナーは、中間転写ベルト２０に接触するベルトクリーニング装置２６によってクリーニングされる。
【００２５】
次に、光書込ユニット４の構成について説明する。
図３は、本実施形態に係るプリンタおける光書込ユニット４を、４つの感光体とともに示す概略構成図である。この光書込ユニット４は、正多角柱構造の形状からなる２つのポリゴンミラー４１ａ，４１ｂを備えている。これらポリゴンミラー４１ａ，４１ｂは、その６つの側面に反射鏡を有しており、互いに正多角柱の中心を重ねるようにして上下方向に接続されている。そして、図示しないポリゴンモータによって同一回転軸線上で高速回転する。これにより、その側面にレーザーダイオード（光ビーム発射手段）からの書込光（光ビーム）が入射すると、この書込光が偏向・走査される。なお、ポリゴンミラー４１ａは、それに対して互いに反対方向から進んでくるＣ，Ｍ用の書込光Ｌｃ，Ｌｍを主走査方向に偏向せしめるものである。また、ポリゴンミラー４１ｂは、それに対して互いに反対方向から進んでくるＹ，Ｋ用の書込光Ｌｙ，Ｌｋを主走査方向に偏向せしめるものである。
【００２６】
図示の光書込ユニット４においては、ポリゴンミラー４１ａ，４１ｂや図示しないポリゴンモータ等により、光ビームとしての書込光Ｌを偏向せしめる偏向手段が構成されている。光書込ユニット４は、かかる偏向手段の他、４つの反射光学系、防音ガラス４２ａ，４２ｂ、走査レンズ４３ａ，４３ｂ、防塵ガラス４８ａ，４８ｂ，４８ｃ，４８ｄなども有している。
【００２７】
ポリゴンモータやポリゴンミラー４１ａ，４１ｂは、防音のためにポリゴンカバー部材によって覆われている。このポリゴンカバー部材の内外で書込光を通過させる目的から、ポリゴンカバーには、防音ガラス４２ａ，４２ｂが設けられている。光ビームとしての書込光は、この防音ガラス４２ａ，４２ｂを透過することで、ポリゴンカバーの内外を行き来することが可能になっている。なお、防音ガラス４２ａは、Ｙ，Ｃ用の書込光Ｌｙ，Ｌｃを透過させるためのものである。また、防音ガラス４２ｂは、Ｍ，Ｋ用の書込光Ｌｍ，Ｌｋを透過させるためのものである。
【００２８】
ポリゴンミラーによって主走査方向に偏向せしめられながら、防音ガラス４２ａを透過したＹ，Ｃ用の書込光Ｌｙ，Ｌｃは、それぞれ上下方向に並んだ状態で走査レンズ４３ａを透過する。この走査レンズ４３ａは、書込光Ｌｙ，Ｌｃを主走査線方向および副走査線方向に集光することでポリゴンミラーによる主走査方向の等角度運動を等速直線運動へと変えるとともに、ポリゴンミラーの面倒れ補正を行う役割を担っている。防音ガラス４２ｂを透過したＭ，Ｋ用の書込光Ｌｍ，Ｌｋは、ポリゴンカバーを介して前述の走査レンズ４３ａとは反対側に位置している走査レンズ４３ｂを透過する。
【００２９】
光書込ユニット４における４つの反射光学系は、それぞれ、上述したレーザーダイオード、反射鏡等から構成されている。具体的には、Ｙ，Ｃ，Ｍ，Ｋの各色のうち、Ｙ用の反射光学系を例にすると、これは、図示しないＹ用のレーザーダイオード、第１反射鏡４４Ｙ、第２反射鏡４５Ｙ、第３反射鏡４６Ｙ等を有している。これら反射鏡は、何れもレンズ機能を有さないミラーである。Ｃ，Ｍ，Ｋ用の反射光学系も、同様にして、レーザーダイオード、第１反射鏡（４４Ｃ〜Ｋ）、第２反射鏡（４５Ｃ〜Ｋ）、第３反射鏡４６（Ｃ〜Ｋ）を有している。
【００３０】
走査レンズ４３ａ，４３ｂを透過したＹ，Ｃ，Ｍ，Ｋ用の書込光Ｌｙ，Ｌｃ，Ｌｍ，Ｌｋは、Ｙ，Ｃ，Ｍ，Ｋ用の反射光学系の各反射鏡に向かう。例えば、走査レンズ４３ａを透過したＹ用の書込光Ｌｙは、第１反射鏡４４Ｙ、第２反射鏡４５Ｙ、第３反射鏡４６Ｙの鏡面を順次反射することで３回折り返されることで、Ｙ用の感光体１０Ｙの表面に導かれていく。Ｃ，Ｍ，Ｋ用のレーザー光Ｌｃ，Ｌｍ，Ｌｋも同様にしてそれぞれ専用の３つの反射鏡で折り返されることで、Ｃ，Ｍ，Ｋ用の感光体１０Ｃ，Ｍ，Ｋの表面に導かれていく。なお、第３反射鏡４６Ｙ，Ｃ，Ｍ，Ｋの鏡面で反射したＹ，Ｃ，Ｍ，Ｋ用の書込光Ｌｙ，Ｌｃ，Ｌｍ，Ｌｋは、光書込ユニット４の上面に設けられた防塵ガラス４８Ｙ，４８Ｃ，４８Ｍ，４８Ｋを透過した後、感光体１０Ｙ，Ｍ，Ｃ，Ｋの表面に到達する。
【００３１】
次に、本プリンタの特徴的な構成について説明する。
本プリンタの光書込ユニット４は、Ｙ，Ｃ，Ｍ，Ｋ用の反射光学系にそれぞれ、何れか１つの反射鏡の湾曲状態を調整することで主走査線の湾曲方向や湾曲量を調整する曲がり調整手段たる曲がり調整機構を設けている。以下、Ｙ用の反射光学系を例にして、曲がり調整機構について説明する。
【００３２】
図４は、第３反射鏡４６Ｙとその周囲構成とを、光路と直交する方向から示す平面図である。同図において、第３反射鏡４６Ｙは、その裏面側に存在するコの字状の断面形状を有するホルダー５２Ｙによって保持されている。そして、長手方向の両端部をそれぞれホルダー５２Ｙの長手方向両端から突出させている。また、ホルダー５２Ｙの裏面には、曲がり調整パルスモータ５６Ｙ、モータホルダ５７Ｙ等からなる第２の強制湾曲手段たる押込手段が固定されている。
【００３３】
図５は、押込手段の曲がり調整パルスモータ５６Ｙ及び曲がり調整アジャスタ５８Ｙを側面側から示す側面図である。また、図６は、押込手段のモータホルダ５７Ｙ及び曲がり調整アジャスタ５８Ｙを示す平面図である。図５に示すように、曲がり調整パルスモータ５６Ｙの回転軸５６ａＹには、雄ネジ部５６ｂＹが設けられている。曲がり調整アジャスタ５８は自らに設けられた雌ネジ部が前述の雄ネジ部５６ｂＹに螺合せしめられることで、回転軸５６ａＹに固定される。曲がり調整アジャスタ５８Ｙは、図６に示すように、断面Ｄ形状をしており、モータホルダ５７に設けられたＤ形状のアジャスタ挿入口５７ａＹに挿入されている。曲がり調整アジャスタ５８Ｙは、曲がり調整パルスモータ５６Ｙの回転軸５６ａＹが回転してもアジャスタ挿入口５７ａＹに係止されるので回転することがない。そして、回転軸５６ａＹの回転に伴うネジ送りによって図５の矢印Ｄ方向に昇降する。
【００３４】
この曲がり調整パルスモータ５６Ｙの回転軸のネジ部に螺合せしめられた曲がり調整アジャスタ５８Ｙの頂部は、第３反射鏡４６Ｙの長手方向の中央部裏面に当接させている。
曲がり調整パルスモータ５６Ｙの回転軸に螺合せしめられた曲がり調整アジャスタ（図５の５８Ｙ）が回転軸の回動に伴って昇降すると、第３反射鏡４６Ｙの長手方向中央部に対する押込量が変化する。
【００３５】
図７は、第３反射鏡４６Ｙとこれを保持するホルダー５２Ｙとを第３反射鏡４６Ｙの鏡面側から示す斜視図である。同図において、第３反射鏡４６Ｙは、裏面側に存在するホルダー５２Ｙとともに、長手方向の両端部がＣ型鋼状の第１の強制湾曲手段であり押圧部材たる板バネ部材５４Ｙによって結束されることで、ホルダー５２Ｙに保持されている。
【００３６】
先に図４に示したように、ホルダー５２Ｙの長手方向の両端部には、それぞれ第３反射鏡４６Ｙに向けて突出する支持手段たる支持突起５２ａＹが設けられている。ホルダー５２Ｙ及び第３反射鏡４６Ｙを長手方向の両端部でそれぞれ結束している２つの板バネ部材５４ａＹ、５４ｂＹは、何れもホルダー５２Ｙ端部の支持突起５２ａＹよりも長手方向の中央側に配置されている。また、一端側（図中左側端部）に配置された第１板バネ部材５４ａＹは、ホルダー５２Ｙに係止されており、他端側（図中右側端部）に配置された第２板バネ部材５４ｂＹは、第２板バネ部材５４ｂＹの反射鏡４６Ｙを強制湾曲させる湾曲力たる押圧力（付勢力）を変更するための付勢力変更手段に固定されている。この付勢力変更手段は、付勢力調整パルスモータ６５Ｙ、モータホルダ６７Ｙ、付勢力調整パルスモータ６５Ｙの回転軸に螺合せしめられた付勢力調整アジャスタ６８Ｙ等で構成されている。
【００３７】
図８は、ホルダー５２Ｙ及び第３反射鏡４６Ｙを長手方向の一端側から示す側面図である。図示のように、ホルダー５２Ｙの支持突起５２ａＹは、第３反射鏡４６Ｙの裏面に当接している。一方、ホルダー５２Ｙ及び第３反射鏡４６Ｙを結束している第１板バネ部材５４ａＹは、開口側の先端に設けられた２つの板バネ部を第３反射鏡４６Ｙの高さ方向の両端部にそれぞれ引っ掛けており、それぞれの板バネ部が第３反射鏡４６Ｙを鏡面側から裏面側に向けて押圧している。
【００３８】
図９は、ホルダー５２Ｙ及び第３反射鏡４６Ｙを長手方向の他端側から示す側面図である。図示のように、他端側もホルダー５２Ｙの支持突起５２ａＹは、第３反射鏡４６Ｙの裏面に当接している。同様に、第２板バネ部材５４ｂＹは、開口側の先端に設けられた２つの板バネ部を第３反射鏡４６Ｙの高さ方向の両端部にそれぞれ引っ掛けており、それぞれの板バネ部が第３反射鏡４６Ｙを鏡面側から裏面側に向けて押圧している。
【００３９】
また、他端側においては、ホルダー５２Ｙ及び第３反射鏡４６Ｙを結束している第２板バネ部材５４ｂＹは、付勢力変更手段の付勢力調整アジャスタ６８Ｙに固定されている。付勢力変更手段は、先に図５に示した押込手段の曲がり調整アジャスタ５８と同様の原理によって昇降するのに伴って、反射鏡４６Ｙの鏡面と直交する方向に第２板バネ部材５４ｂＹをスライドさせることで、第２板バネ部材５４ｂＹの板バネ部の反射鏡に対する押圧力（付勢力）を変更する。
【００４０】
第１、第２板バネ部材５４ａＹ、５４ｂＹが第３反射鏡４６Ｙを押圧する長手方向の位置は、先に図４に示したようにホルダー５２Ｙの支持突起５２ａＹよりも中央側になっている。この位置で押圧される第３反射鏡４６Ｙは、図７に矢印Ｒで示したように、長手方向の中央部をおもて面側から裏面側に向けて撓ませるような形状で湾曲する。つまり、第３反射鏡４６Ｙは、第１、第２板バネ部材５４ａＹ、５４ｂＹによって強制的に湾曲させた状態でホルダー５２Ｙに保持される。
【００４１】
先に図４において、肉眼では確認できないが、第３反射鏡４６Ｙは第１、第２板バネ部材５４ａＹ、５４ｂＹで長手方向の中央部が曲がり調整パルスモータ５６Ｙ等からなる押込手段に向けて湾曲している。そして、押込手段の曲がり調整アジャスタ５８Ｙは、第３反射鏡４６Ｙの中央部をホルダー５２Ｙや第１、第２板バネ部材５４ａＹ、５４ｂＹによる強制的な湾曲の方向とは逆方向に押し込む。これにより、第３反射鏡４６Ｙの湾曲が戻される仕組みになっている。
【００４２】
かかる構成の反射光学系では、既に説明したように、第３反射鏡４６Ｙを裏面側、鏡面側の何れの方向にも湾曲できるようにすることで、図示しない感光体の表面上の主走査線における副走査方向の上流側、下流側に向けての湾曲を何れも補正することができる。
【００４３】
押込手段が反射鏡４６Ｙを押し込んでいない初期状態のときは、付勢力変更手段の付勢力調整アジャスタ６８Ｙは、第２板バネ部材５４ｂＹを付勢力変更手段側へ移動させて、第２板バネ部材５４ｂＹの反射鏡４６Ｙに対する押圧力（付勢力）を高めておく。これにより、初期状態において、反射鏡４６Ｙを強制的に湾曲させる湾曲力が高まり、反射鏡が良好に湾曲する。
そして、押込手段の曲がり調整アジャスタ５８Ｙが、第３反射鏡４６Ｙの中央部を第１、第２板バネ部材５４ａＹ、５４ｂＹによる強制的な湾曲の方向とは逆方向に押し込んだとき、付勢力変更手段の付勢力調整アジャスタ６８Ｙによって、押込手段の押込み方向と同方向に第２板バネ部材５４ｂＹをスライドさせる。これにより、第２板バネ部材５４ｂＹの反射鏡４６Ｙに対する押圧力が低減される。その結果、反射鏡４６Ｙを強制的に湾曲させる湾曲力を弱めることができる。
【００４４】
図１０は、付勢力変更手段を設けて、押込手段の押込量に応じて、第２板バネ部材５４ｂＹの反射鏡に対する押圧力を変更したときの主走査線の波高さΔｔ´と、第２板バネ部材５４ｂＹの反射鏡４６Ｙに対する押圧力を変更しなかったときの主走査線の波高さΔｔとを示す図である。図に示すように、付勢力変更手段を設けて、押込手段の押込量に応じて、第２板バネ部材５４ｂＹの反射鏡４６Ｙに対する押圧力を変更することによって、波高さを小さくすることができる。
【００４５】
Ｙ用の反射光学系における曲がり調整手段（ホルダー、板バネ部材、押込手段、付勢力変更手段）について説明したが、Ｃ，Ｍ，Ｋ用の反射光学系も同様の構成になっている。
【００４６】
Ｙ，Ｃ用の反射光学系では、感光体１０Ｙ，１０Ｃ上での主走査線が図２１に示したようなＭ型の形状になっているのに対し、Ｍ，Ｋ用の反射光学系では、感光体１０Ｍ，１０Ｋ上での主走査線が図２２に示したようなＷ型の形状になる。
【００４７】
図１１（ａ）は、Ｙ色およびＣ色の走査線の湾曲について説明する図であり、図１１（ｂ）は、Ｋ色およびＭ色の走査線の湾曲について説明する図である。
図１１（ａ）に示すように、Ｙ用、Ｃ用の反射光学系では、第３反射鏡４６Ｙ，４６Ｃの鏡面が図中で左方向に向いているのに対し、図１１（ｂ）に示すように、Ｍ，Ｋの反射光学系では、第３反射鏡４６Ｍ，４６Ｋの鏡面が図中で右方向に向いている。
Ｙ用、Ｃ用の反射光学系では、初期の強制湾曲された状態のときは、第３反射鏡４６Ｙ，４６Ｃの中央部は、図中点線の位置にある。このため、Ｙ、Ｃの第３反射鏡の中央部を反射した書込光は、Ｙ、Ｃの第３反射鏡の中央部を反射した書込光よりも感光体移動方向上流側に照射される。この結果、初期時における走査線は、中央部が理想の走査線よりも感光体移動方向上流側に湾曲した走査線となり、調整後の走査線が、Ｍ型の形状になる。
一方、第３反射鏡の鏡面が図中で右方向に向いているＭ，Ｋの反射光学系では、初期時における走査線は、中央部が理想の走査線よりも感光体移動方向上流側に湾曲した走査線となり、調整後の走査線が、Ｗ型の形状になる。
【００４８】
何れの反射光学系においても、第３反射鏡は複数の反射鏡のうち、光路の最も下流側に配設されたものであるが、Ｙ，Ｃと、Ｍ，Ｋとでその向きが反対になるのは、第３反射鏡と反射光学系との位置関係が異なっているからである。具体的には、Ｙ用の反射光学系において、副走査方向は、感光体１０Ｙと書込光Ｌｙとの接線方向で且つ図３の右側から左側に向かう方向である。同図からわかるように、Ｙ用の反射光学系は、前述の副走査方向においてポリゴンミラー４１ｂよりも下流側に位置している。同様にして、Ｃ用の反射光学系も、その副走査方向においてポリゴンミラー４１ａよりも下流側に位置している。これに対し、Ｍ，Ｋ用の反射光学系は、それぞれの副走査方向においてポリゴンミラー４１ａ，４１ｂよりも上流側に位置している。このような位置関係の違いにより、同じ配列順番の反射鏡の向きが互いに異なっているのである。
【００４９】
Ｙ，Ｃ用の反射光学系と、Ｍ，Ｋ用の反射光学系とで、副走査方向におけるポリゴンミラー４１ａ，４１ｂと位置関係が逆になっているのは、同図からわかるように、Ｙ，Ｃ用の反射光学系と、Ｍ，Ｋ用の反射光学系との間にポリゴンミラー４１ａ，４１ｂを配設しているからである。そして、このようなレイアウトを採用しているのは、小型化や、走査位置の高精度化を図る目的からである。具体的には、全ての反射光学系に対して、その副走査方向の下流側又は上流側になるポリゴンミラー４１ａ，４１ｂの配設位置は、図中で最も左側のＹ用の反射光学系よりも更に左側か、あるいは図中で最も右側のＫ用の反射光学系よりも更に右側である。このような配設位置では、レイアウトを水平方向に広げてしまうことになり、装置の小型化を妨げてしまうのである。また、例えばＹ用の反射光学系よりも更に左側にポリゴンミラー４１ａ，４１ｂを配設した場合、ポリゴンミラーから、図中最も右側のＫ用の反射光学系までの光路が非常に長くなるため、走査位置の精度を低下させてしまうのである。Ｋ用の反射光学系よりも更に右側にポリゴンミラー４１ａ，４１ｂを配設した場合にも同様である。以上のような理由から、ポリゴンミラー４１ａ，４１ｂを、Ｙ，Ｃ用の反射光学系とＭ，Ｋ用の反射光学系との間に配設している。
【００５０】
しかしながら、本実施形態においては、付勢力変更手段を設けて、押込手段の押込量に応じて第２板バネ部材をスライドさせて、第２板バネ部材の反射鏡に対する押圧力を低減させ、反射鏡を強制的に湾曲させる湾曲力を弱めて、先の図１０に示すように波高さΔｔを小さくしている。よって、Ｗ字状の走査線における２つの谷の位置で形成されるドットと、Ｍ字状の走査線における２つの山の位置に形成されるドットとの間の副走査線方向のずれを抑制することができ、色ずれを抑制することができる。
【００５１】
感光体上での主走査線の湾曲調整は、本プリンタの出荷時に行われるとともに、本プリンタの稼働時において例えばプリント枚数が所定枚数に達したタイミングやユーザー指示を受けたタイミング等の所定のタイミングでも行われる。
装置組立直後の初期状態では、反射鏡が先に示した図７の矢印Ｒのように湾曲している。このような初期状態においては、図１２の点線に示すように主走査線も湾曲した形状になる。この初期状態から、曲がり調整手段の曲がり調整パルスモータ（例えば５６Ｙ）を回転させて、曲がり調整アジャスタ（例えば５８Ｙ）を反射鏡（例えば４６Ｙ）の長手方向の中央部裏面に当接させ、その後のアジャスタ５８Ｙの上昇量を調整することで、図１２に示すように、初期状態で生じていた主走査線の湾曲を補正する。また、曲がり調整パルスモータ（例えば５６Ｙ）の回転角度に応じて、付勢力調整パルスモータ（例えば６５Ｙ）を回転させて、付勢力調整アジャスタ（例えば６８Ｙ）を上昇させて、第２板バネ部材（例えば５４ｂＹ）の反射鏡（例えば４６Ｙ）に対する付勢力を変更することで、波高さΔｔを小さくし、Ｗ字状の走査線における２つの谷の位置で形成されるドットと、Ｍ字状の走査線における２つの山の位置に形成されるドットとの間の副走査線方向のずれを抑制する。
【００５２】
本プリンタの稼働時において例えばプリント枚数が所定枚数に達したタイミングやユーザー指示を受けたタイミング等の所定のタイミングで行う湾曲調整は、次のようにして行う。すなわち、まず、図３に示した各色の感光体１０Ｙ，１０Ｃ，１０Ｍ，１０Ｋ上に通常の画像形成動作時と同じ動作で、予め決められた位置ずれ検知用の静電潜像が形成される。そして、通常の画像形成動作時と同じ動作で、各色の位置ずれ検知用の静電潜像が現像されて、各色の位置ずれ検知用のトナー像となる。これらトナー像が中間転写ベルトの互いにずれた位置に１次転写されると、各色のトナー像が所定パターンで並ぶ位置ずれ検知用パターン像となる。その後、中間転写ベルトの無端移動に伴って、ベルト上の位置ずれ検知用パターン像の各トナー像が図示しない光学センサによって検知される。本プリンタの図示しない制御部は、この光学センサによる各トナー像の検知タイミングに基づいて、各色（Ｋ、Ｙ、Ｃ、Ｍ）の主走査線の湾曲量を把握する。そして、把握した各湾曲量を最小にする各色（Ｋ、Ｙ、Ｃ、Ｍ）用の湾曲量を算出した後、算出結果に基づいて、曲がり調整パルスモータ（例えば５６Ｙ）を所定の回転角度だけ正回転又は逆回転させる。これによって反射鏡の湾曲方向や湾曲量が変化し、図１２の点線で示されるように、調整前に生じていた主走査線の湾曲が補正される。また、曲がり調整パルスモータ（例えば５６Ｙ）の回転角度に応じて、付勢力調整パルスモータ（例えば６５Ｙ）を正回転または逆回転させて、第２板バネ部材（例えば５４ｂＹ）の反射鏡（例えば４６Ｙ）に対する付勢力を変更する。具体的には、曲がり調整パルスモータ（例えば５６Ｙ）を正回転させて、板バネ部材による強制湾曲方向と逆方向に反射鏡を湾曲させる場合は、第２板バネ部材の反射鏡に対する押圧力を弱める方向に第２板バネ部材をスライドさせる。これにより、板バネ部材による反射鏡を強制湾曲させる力が低減され、波高さΔｔを小さくすることができる。一方、曲がり調整パルスモータを逆回転させて、板バネ部材による強制湾曲方向に湾曲させる場合は、第２板バネ部材の反射鏡に対する押圧力を強める方向に第２板バネ部材をスライドさせる。これにより、板バネ部材による反射鏡を強制湾曲させる力が増加し、反射鏡を良好に強制湾曲させることができ、図示しない感光体の表面上の主走査線における副走査方向の上流側、下流側に向けての湾曲を何れも補正することができる。
【００５３】
［変形例１］
次に、曲がり調整手段の変形例について説明する。
図１３は、変形例における第３反射鏡４６Ｙとその周囲構成とを、光路と直交する方向から示す平面図である。
図１４は、変形例におけるホルダー５２Ｙ及び第３反射鏡４６Ｙを長手方向の他端側から示す側面図である。
図１３、図１４に示すように、変形例においては、反射鏡４６Ｙの長手方向両端にもうけられた反射鏡４６Ｙを支持する支持突起のうちひとつ（図１３では、右側）を反射鏡４６Ｙの鏡面に対して直交する方向に移動させることで、第２板バネ部材５４ｂＹの反射鏡に対する付勢力（押圧力）を変更するものである。
【００５４】
反射鏡４６Ｙにおける一端側（図中左側）は、先の図８に示した構成と同様な構成をしている。一方、反射鏡４６Ｙにおける他端側は、図１４に示すように、反射鏡４６Ｙを支持する支持手段が、アジャスタ１６８Ｙとなっている。アジャスタ１６８Ｙは、先の図６に示した構成同様、断面Ｄ形状をしており、モータホルダ１６７Ｙに設けられたＤ形状のアジャスタ挿入口に挿入され、移動調整パルスモータ１６５Ｙの回転軸に螺合されている。これにより、支持手段たるアジャスタ１６８Ｙは、移動調整パルスモータ１６５Ｙの回転軸が回転してもモータホルダ１６７Ｙのアジャスタ挿入口に係止されるので回転することがない。そして、回転軸の回転に伴うネジ送りによって、昇降する。
【００５５】
一方、ホルダー５２Ｙ及び第３反射鏡４６Ｙを結束している第２板バネ部材５４ｂＹは、開口側の先端に設けられた２つの板バネ部を第３反射鏡４６Ｙの高さ方向の両端部にそれぞれ引っ掛けており、それぞれの板バネ部が第３反射鏡４６Ｙを鏡面側から裏面側に向けて押圧している。
【００５６】
押込手段が反射鏡４６Ｙを押し込んでいない初期状態のときは、移動調整パルスモータ１６５Ｙやモータホルダ１６７Ｙなどで構成された移動手段の移動調整パルスモータ１６５Ｙを正回転させて、支持手段たるアジャスタ１６８Ｙを押込手段の押込方向と同方向へ移動させる。これにより、第２板バネ部材５４ｂＹの反射鏡に対する押圧力（付勢力）が高められ、初期状態において、反射鏡４６Ｙを良好に湾曲させることができる。
そして、押込手段の曲がり調整アジャスタ５８Ｙが、第３反射鏡４６Ｙの中央部をホルダー５２Ｙや第１、第２板バネ部材５４ａＹ、５４ｂＹによる強制的な湾曲の方向とは逆方向に押し込んだとき、移動手段の移動調整パルスモータ１６４Ｙを逆回転させて、アジャスタ１６８Ｙを押込手段の押込方向と逆方向へ移動させる。これにより、第２板バネ部材５４ｂＹの反射鏡４６Ｙに対する押圧力が低減される。その結果、反射鏡４６Ｙを強制的に湾曲させる力が弱まり、押込位置と支持位置との間の反射鏡の強制的な湾曲が抑えられる。これにより、波高さΔｔを小さくすることができる。
【００５７】
また、上述の変形例では、支持手段をアジャスタとしているが、図１５に示すように、カム部材２６８Ｙにしてもよい。
図１５に示すように、支持手段たるカム部材２６８Ｙは、移動手段たる回転調整パルスモータ２６５Ｙの出力軸２６５ａＹに取り付けられている。カム部材２６８Ｙの一部は、第３反射鏡４６Ｙの長手方向他端側に当接している。回転調整パルスモータ２６５Ｙの回転角度を制御することにより、反射鏡４６Ｙの鏡面と直交する方向におけるカム部材２６８Ｙの反射鏡４６Ｙを支持する位置を制御することができる。
【００５８】
押込手段が反射鏡４６Ｙを押し込んでいない初期状態のときは、回転調整パルスモータ２６５Ｙを回転させて、支持手段たるカム部材２６８Ｙの反射鏡４６Ｙの支持位置を押込手段の押込方向と同方向へ移動させる。これにより、第２板バネ部材５４ｂＹの反射鏡４６Ｙに対する押圧力（付勢力）が高められ、初期状態において、反射鏡４６Ｙを良好に湾曲させることができる。
そして、押込手段の曲がり調整アジャスタ５８Ｙが、第３反射鏡４６Ｙの中央部をホルダー５２Ｙや第１、第２板バネ部材５４ａＹ、５４ｂＹによる強制的な湾曲の方向とは逆方向に押し込んだとき、移動手段の回転調整パルスモータ２６５Ｙを回転させて、カム部材２６８Ｙの反射鏡４６Ｙの支持位置を押込手段の押込方向と逆方向へ移動させる。これにより、第２板バネ部材５４ｂＹの反射鏡４６Ｙに対する押圧力が低減される。その結果、反射鏡４６Ｙを強制的に湾曲させる力が弱まり、押込位置と支持位置との間の反射鏡の強制的な湾曲が抑えられる。これにより、波高さΔｔを小さくすることができる。
【００５９】
以上、本実施形態の湾曲補正手段たる湾曲補正機構は、光ビーム発射手段たるレーザーダイオードと、レーザーダイオードから発射された光ビームたる書込光を主走査方向に偏向せしめるポリゴンモータやポリゴンミラー４１ａ，４１ｂなどからなる偏向手段と、書込光を反射させる反射鏡とを有し、書込光によって走査対象物たる感光体を光走査する光走査装置たる光書込ユニット４に用いられる。
湾曲補正機構は、反射鏡の長手方向の両端部でそれぞれ、反射鏡の裏面に当接して反射鏡を支持する支持手段たる支持突起５２ａと、支持突起５２ａの支持位置と反射鏡４６の長手方向異なる位置、かつ反射鏡の鏡面を鏡面と直交する方向に力を付与して、反射鏡を強制湾曲させる第１の強制湾曲手段であり押圧部材たる第１、第２板バネ部材５４ａ、５４ｂとを有している。また、反射鏡の長手方向中央部を鏡面と直交する方向に押し込むことで反射鏡の強制湾曲方向とは逆方向へ湾曲させる第２の強制湾曲手段たる押込手段７１を有している。このような構成の湾曲補正機構において、板バネ部材の反射鏡を強制湾曲させる湾曲力を、押込手段による押込量に応じて弱めるように変更する変更手段たる付勢力変更手段を設けている。このように構成することで、押込手段で反射鏡を押し込んだとき、反射鏡の支持突起が当接する支持位置と押込手段が当接する押込位置の間の領域における板バネ部材による湾曲が小さくなり、先の図２１、２１に示した波高さΔｔを小さくすることができる。これにより、Ｗ字状の走査線における２つの谷の位置で形成されるドットと、Ｍ字状の走査線における２つの山の位置に形成されるドットとの間の副走査線方向のずれを抑制することができ、色ずれを抑制することができる。
【００６０】
また、変形例に示すように、押込手段の押込量に応じて、反射鏡に対する支持位置を、押込手段が反射鏡を押し込む方向と逆方向に移動させる移動手段を設けている。このように構成することで、板バネ部材の反射鏡に対する押圧力を、押込手段による押込量に応じて弱めることができ、反射鏡を強制的に湾曲させる力を弱めることができる。
【００６１】
また、変形例に示すように、支持手段たるアジャスタ１６８が螺合する回転軸と、回転軸を回転させる回転角度を制御することが可能なモータたる移動調整パルスモータ１６５と、アジャスタ１６８の回転方向の動きを規制する規制部材たるモータホルダ１６７とで上記移動手段を構成している。モータホルダ１６７によって、アジャスタ１６８が回転方向の動きが規制されているので、移動調整パルスモータ１６５によって回転軸が回転してもアジャスタ１６８が回転することなく、アジャスタ１６８が回転軸によってネジ送りされ、アジャスタ１６８の反射鏡４６の支持位置が変更される。また、回転角度を制御することが可能なパルスモータを用いることで、アジャスタ１６８の反射鏡の支持位置を正確に制御することが可能となる。
【００６２】
また、支持手段をカム部材２６８とし、上記移動手段を、カム部材２６８を回転させる回転角度を制御することが可能なモータたる回転調整パルスモータ２６５を有するよう構成してもよい。このような構成でも、回転調整パルスモータ２６５の回転角度を制御することで、カム部材２６８の反射鏡の支持位置が制御され、押込手段による押込量に応じて板バネ部材の反射鏡に対する押圧力を弱めることができる。
【００６３】
また、光走査装置たる光書込ユニットとして、上述の湾曲補正機構を用いることで、走査線の副走査方向の湾曲を良好に補正することができる。
【００６４】
また、単一の走査レンズ４３で、主走査線方向および副走査線方向の集光を行うので、主走査線方向に集光するｆθレンズと副走査線方向の集光する長尺レンズとを設けたものに比べて、部品点数を削減することができる。これにより、光走査装置のコンパクト化や、レイアウトの自由度を増加させることができる。
【００６５】
また、画像形成装置として、上述の光書込ユニットを用いることで、色ずれのない良好な画像を得ることができる。
【図面の簡単な説明】
【００６６】
【図１】実施形態に係るプリンタを示す概略構成図。
【図２】同プリンタにおけるＹ用の作像ステーションを示す概略構成図。
【図３】同プリンタおける光書込ユニットを、４つの感光体とともに示す概略構成図。
【図４】同光書込ユニットのＹ用の反射光学系における第３反射鏡とその周囲構成とを、光路と直交する方向から示す平面図。
【図５】同反射光学系の曲がり調整手段の曲がり調整パルスモータ及び曲がり調整アジャスタを側面側から示す側面図。
【図６】同曲がり調整手段のモータホルダ及び曲がり調整アジャスタを示す平面図。
【図７】同第３反射鏡とこれを保持するホルダーとを第３反射鏡の鏡面側から示す斜視図。
【図８】同ホルダー及び第３反射鏡を長手方向の一端側から示す側面図。
【図９】同ホルダー及び第３反射鏡を長手方向の他端側から示す側面図。
【図１０】付勢力変更手段を設けて、押込手段の押込量に応じて、第２板バネ部材の反射鏡に対する押圧力を変更したときの主走査線の波高さと、第２板バネ部材の反射鏡に対する押圧力を変更しなかったときの主走査線の波高さとを示す図。
【図１１】（ａ）は、Ｙ色およびＣ色の走査線の湾曲について説明する図。（ｂ）は、Ｋ色およびＭ色の走査線の湾曲について説明する図。
【図１２】湾曲が補正された主走査線を示す模式図。
【図１３】変形例における第３反射鏡４６Ｙとその周囲構成とを、光路と直交する方向から示す平面図。
【図１４】同変形例における同ホルダー及び第３反射鏡を長手方向の他端側から示す側面図。
【図１５】支持手段をカム部材とした例を示す図。
【図１６】感光体と、その表面上における主走査線とを示す斜視図。
【図１７】開発中の光書込装置における反射鏡とその周囲構成とを示す拡大構成図。
【図１８】強制的に湾曲せしめられている状態の同反射鏡を示す模式図。
【図１９】図１７の反射鏡を押込装置によって強制的な湾曲方向とは逆方向に僅かに押し込んだときの主走査線を示す模式図。
【図２０】図１８の反射鏡を押込装置によって更に押し込んだときの主走査線を示す模式図。
【図２１】複数の感光体のうち、何れか１つの表面上における補正後の主走査線を示す模式図。
【図２２】他の感光体の表面上における補正後の主走査線を示す模式図。
【符号の説明】
【００６７】
４：光書込ユニット
５：中間転写ユニット
１０Ｙ，Ｃ，Ｍ，Ｋ：感光体
１２Ｙ，Ｃ，Ｍ，Ｋ：現像装置
２０：中間転写ベルト
４１ａ，ｂ：ポリゴンミラー
４４Ｙ，Ｃ，Ｍ，Ｋ：第１反射鏡
４５Ｙ，Ｃ，Ｍ，Ｋ：第２反射鏡
４６Ｙ，Ｃ，Ｍ，Ｋ：第３反射鏡
５２Ｙ：ホルダー
５４Ｙ：板バネ部材
５６Ｙ：曲がり調整パルスモータ
５７Ｙ：モータホルダ
５８Ｙ：曲がり調整アジャスタ
６５Ｙ：付勢力調整パルスモータ
６７Ｙ：モータホルダ
６８Ｙ：付勢力調整アジャスタ
【図１】
0004887268.tif 000002
【図２】
0004887268.tif 000003
【図３】
0004887268.tif 000004
【図４】
0004887268.tif 000005
【図５】
0004887268.tif 000006
【図６】
0004887268.tif 000007
【図７】
0004887268.tif 000008
【図８】
0004887268.tif 000009
【図９】
0004887268.tif 000010
【図１０】
0004887268.tif 000011
【図１１】
0004887268.tif 000012
【図１２】
0004887268.tif 000013
【図１３】
0004887268.tif 000014
【図１４】
0004887268.tif 000015
【図１５】
0004887268.tif 000016
【図１６】
0004887268.tif 000017
【図１７】
0004887268.tif 000018
【図１８】
0004887268.tif 000019
【図１９】
0004887268.tif 000020
【図２０】
0004887268.tif 000021
【図２１】
0004887268.tif 000022
【図２２】
0004887268.tif 000023